(57)【要約】【課題】本発明は、ネットワークに接続されデータ蓄積対象のネットワークハードディスクがどこに設置されているかを明確にするネットワークハードディスクシステム、ネットワークハードディスク及びネットワークハードディスク方式に関する。【解決手段】ネットワークハードディスクシステム１は、ネットワークＮＷに複数のネットワークハードディスクＨｄ１〜Ｈｄｎとクライアント端末ＣＬ１〜ＣＬｎが接続され、クライアント端末ＣＬ１〜ＣＬｎが、ネットワークＮＷに接続されているネットワークハードディスクＨｄ１〜Ｈｄｎを検索し、検索結果のネットワークハードディスクＨｄ１〜Ｈｄｎから選択された所定台数のネットワークハードディスクＨｄ１〜Ｈｄｎに、ダミーデータを送信し、データを受信したネットワークハードディスクＨｄ１〜Ｈｄｎが、受信データがダミーデータと判別すると、ダミーデータを受信した旨を報知出力する。【選択図】          図１
2006244323.tif 000002
【特許請求の範囲】
【請求項１】
ネットワークに複数のネットワークハードディスクとクライアント端末とが接続され、前記クライアント端末が前記ネットワークハードディスクに各種データを送信して、当該データを受け取った前記ネットワークハードディスクが当該データを蓄積し、また、前記クライアント端末からの読取要求に応じて蓄積しているデータを読み出すネットワークハードディスクシステムにおいて、前記クライアント端末が、前記ネットワークに接続されている前記ネットワークハードディスクを検索し、当該検索結果のネットワークハードディスクから選択された所定台数のネットワークハードディスクに、ダミーデータを送信し、前記ネットワークハードディスクが、データを受信すると、当該受信したデータが前記ダミーデータであるか通常のデータであるかを判別し、前記ダミーデータであると判別すると、当該ダミーデータを受信した旨を報知出力することを特徴とするネットワークハードディスクシステム。
【請求項２】
前記ネットワークハードディスクシステムは、前記ネットワークハードディスクが、前記ダミーデータを受信した旨を、所定のメッセージを表示手段に表示して報知出力し、または／及び、所定のランプを点灯または点滅させて報知出力することを特徴とする請求項１記載のネットワークハードディスクシステム。
【請求項３】
クライアント端末の接続されているネットワークに接続され、当該クライアント端末からのデータを当該ネットワークを介して受信して、当該受信したデータを蓄積し、また、前記クライアント端末からの読取要求に応じて蓄積するデータを読み取るネットワークハードディスクにおいて、前記クライアント端末からデータを受信すると、当該データが所定のダミーデータであるか通常のデータであるかを判別することを特徴とするネットワークハードディスク。
【請求項４】
前記ネットワークハードディスクは、前記ダミーデータを受信したと判断すると、当該ダミーデータを受信した旨を、所定のメッセージを表示手段に表示して報知出力し、または／及び、所定のランプを点灯または点滅させて報知出力することを特徴とする請求項３記載のネットワークハードディスク。
【請求項５】
ネットワークに複数のネットワークハードディスクとクライアント端末とが接続され、前記クライアント端末が前記ネットワークハードディスクにデータを送信して、当該データを受け取った前記ネットワークハードディスクが当該データを蓄積し、また、前記クライアント端末からの読取要求に応じて蓄積するデータを読み出すネットワークハードディスク方式において、前記クライアント端末が、前記ネットワークに接続されている前記ネットワークハードディスクを検索し、当該検索結果のネットワークハードディスクから選択された所定台数のネットワークハードディスクに、ダミーデータを送信し、前記ネットワークハードディスクが、データを受信すると、当該受信したデータが前記ダミーデータであるか通常のデータであるかを判別し、前記ダミーデータであると判別すると、当該ダミーデータを受信した旨を報知出力することを特徴とするネットワークハードディスク方式。
【発明の詳細な説明】
【技術分野】
【０００１】
本発明は、ネットワークハードディスクシステム、ネットワークハードディスク及びネットワークハードディスク方式に関し、詳細には、ネットワークに接続されデータの蓄積・読み出しを行おうとしているネットワークハードディスクがどこに設置されているのかを明確にするネットワークハードディスクシステム、ネットワークハードディスク及びネットワークハードディスク方式に関する。
【背景技術】
【０００２】
近時、ＯＡ（Office Automation ）化が進むなかで、パーソナルコンピュータ等の複数の情報処理装置（クライアント端末）がネットワークを介して複数のネットワークハードディスクを共有して、データの蓄積及び読み出しを行うネットワークハードディスクシステムが活用されるようになってきている。
【０００３】
このような複数のハードディスクを複数のクライアント端末が共有する場合、クライアント端末とネットワークハードディスクが物理的に接続されているため、いずれのクライアント端末からもいずれのネットワークハードディスクに対してもアクセスして、データの蓄積を行い、また、データの読み出しを行うことができる。
【０００４】
ところが、ネットワークハードディスクは、複数のクライアント端末からアクセスがあると、アクセスのあった順にデータの蓄積または読み出しを行うため、ネットワークに複数のネットワークハードディスクが接続されている場合、どのネットワークハードディスクに蓄積されるのか、また、どのネットワークハードディスクからデータが読み出されているのかが、データの読み出しや蓄積を行ったクライアント端末のユーザには分からず、データの蓄積場所を探すのが面倒である。
【０００５】
そして、本出願人は、先に、複数のスキャナとプリンタがネットワークに接続されている場合に、スキャナが自身と同じ設置場所、例えば、同じフロアのプリンタを検索して、当該プリンタに画情報を転送して印刷を行わせるネットワーク印刷システムを提案している（特許文献１参照）。
【０００６】
【特許文献１】特開２０００−５９５６０号公報
【発明の開示】
【発明が解決しようとする課題】
【０００７】
しかしながら、上記特許文献１記載の従来技術をネットワークハードディスクの検索に適用した場合、例えば、複数のフロアに分かれて複数のネットワークハードディスクがネットワークに接続されている場合に、クライアント端末と同じフロアのネットワークハードディスクを検索するのには効果的であるが、同じフロアに複数のネットワークハードディスクが接続されている場合に、クライアント端末の近くのネットワークハードディスクにアクセスしたいとき等のネットワークハードディスクの設置場所の探索を効率的に処理する場合には対応することができない。
【０００８】
そこで、本発明は、複数のネットワークハードディスクのうちどのネットワークハードディスクがどこに設置されているかが簡単に分かるようにし、近くのネットワークハードディスクに適切にデータを蓄積させ、また、データの蓄積されているネットワークハードディスクから適切にデータを読み取って、利用性を向上させることのできるネットワークハードディスクシステム、ネットワークハードディスク及びネットワークハードディスク方式を提供することを目的としている。
【０００９】
具体的には、請求項１記載の発明は、クライアント端末が、ネットワークに接続されているネットワークハードディスクを検索し、当該検索結果のネットワークハードディスクから選択された所定台数のネットワークハードディスクに、ダミーデータを送信し、ネットワークハードディスクが、データを受信すると、当該受信したデータがダミーデータであるか通常のデータであるかを判別し、ダミーデータであると判別すると、当該ダミーデータを受信した旨を報知出力することにより、複数のネットワークハードディスクのうちどのネットワークハードディスクがどこに設置されているかが簡単に分かるようにし、近くのネットワークハードディスクに適切にデータを蓄積させ、また、データの蓄積されているネットワークハードディスクから適切にデータを読み取って、利用性の良好なネットワークハードディスクシステムを提供することを目的としている。
【００１０】
請求項２記載の発明は、ネットワークハードディスクが、ダミーデータを受信した旨を、所定のメッセージを表示手段に表示して報知出力し、または／及び、所定のランプを点灯または点滅させて報知出力することにより、クライアント端末のユーザがネットワークに接続されて複数設置されているネットワークハードディスクのうちデータの蓄積に使用したいネットワークハードディスクやデータの読み出しを行いたいネットワークハードディスクがどこに設置されているかが速やかにかつ容易に分かるようにし、より一層利用性の良好なネットワークハードディスクシステムを提供することを目的としている。
【００１１】
請求項３記載の発明は、クライアント端末からデータを受信すると、当該データが、所定のダミーデータであるか否かを判別し、ダミーデータであると判別すると、当該ダミーデータを受信した旨を報知出力することにより、適切なデータ蓄積／読出処理を行いつつ、クライアント端末のユーザがネットワークに接続されて複数設置されているネットワークハードディスクのうちデータの蓄積やデータの読出に使用したいとして選択したネットワークハードディスクがどこに設置されているかが容易に分かるようにし、利用性の良好なネットワークハードディスクを提供することを目的としている。
【００１２】
請求項４記載の発明は、ネットワークハードディスクが、ダミーデータを受信したと判断すると、当該ダミーデータを受信した旨を、所定のメッセージを表示手段に表示して報知出力し、または／及び、所定のランプを点灯または点滅させて報知出力することにより、クライアント端末のユーザがネットワークに接続されて複数設置されているネットワークハードディスクのうちデータの蓄積やデータの読出に使用したいネットワークハードディスクがどこに設置されているかが速やかにかつ容易に分かるようにし、より一層利用性の良好なネットワークハードディスクを提供することを目的としている。
【００１３】
請求項５記載の発明は、クライアント端末が、ネットワークに接続されているネットワークハードディスクを検索し、当該検索結果のネットワークハードディスクから選択された所定台数のネットワークハードディスクに、ダミーデータを送信し、ネットワークハードディスクが、データを受信すると、当該受信したデータがダミーデータであるか通常のデータであるかを判別し、ダミーデータであると判別すると、ダミーデータを受信した旨を報知出力することにより、ネットワークハードディスクで適切なデータの蓄積処理や読出処理を行いつつ、クライアント端末のユーザがネットワークに接続されて複数設置されているネットワークハードディスクのうちデータの蓄積や読出に使用したいネットワークハードディスクがどこに設置されているかが容易に分かるようにし、利用性の良好なネットワークハードディスク方式を提供することを目的としている。
【課題を解決するための手段】
【００１４】
請求項１記載の発明のネットワークハードディスクシステムは、ネットワークに複数のネットワークハードディスクとクライアント端末とが接続され、前記クライアント端末が前記ネットワークハードディスクに各種データを送信して、当該データを受け取った前記ネットワークハードディスクが当該データを蓄積し、また、前記クライアント端末からの読取要求に応じて蓄積しているデータを読み出すネットワークハードディスクシステムにおいて、前記クライアント端末が、前記ネットワークに接続されている前記ネットワークハードディスクを検索し、当該検索結果のネットワークハードディスクから選択された所定台数のネットワークハードディスクに、ダミーデータを送信し、前記ネットワークハードディスクが、データを受信すると、当該受信したデータが前記ダミーデータであるか通常のデータであるかを判別し、前記ダミーデータであると判別すると、当該ダミーデータを受信した旨を報知出力することにより、上記目的を達成している。
【００１５】
この場合、例えば、請求項２に記載するように、前記ネットワークハードディスクシステムは、前記ネットワークハードディスクが、前記ダミーデータを受信した旨を、所定のメッセージを表示手段に表示して報知出力し、または／及び、所定のランプを点灯または点滅させて報知出力するものであってもよい。
【００１６】
請求項３記載のネットワークハードディスクは、クライアント端末の接続されているネットワークに接続され、当該クライアント端末からのデータを当該ネットワークを介して受信して、当該受信したデータを蓄積し、また、前記クライアント端末からの読取要求に応じて蓄積するデータを読み取るネットワークハードディスクにおいて、前記クライアント端末からデータを受信すると、当該データが所定のダミーデータであるか通常のデータであるかを判別することにより、上記目的を達成している。
【００１７】
この場合、例えば、請求項４に記載するように、前記ネットワークハードディスクは、前記ダミーデータを受信したと判断すると、当該ダミーデータを受信した旨を、所定のメッセージを表示手段に表示して報知出力し、または／及び、所定のランプを点灯または点滅させて報知出力するものであってもよい。
【００１８】
請求項５記載の発明のネットワークハードディスク方式は、ネットワークに複数のネットワークハードディスクとクライアント端末とが接続され、前記クライアント端末が前記ネットワークハードディスクにデータを送信して、当該データを受け取った前記ネットワークハードディスクが当該データを蓄積し、また、前記クライアント端末からの読取要求に応じて蓄積するデータを読み出すネットワークハードディスク方式において、前記クライアント端末が、前記ネットワークに接続されている前記ネットワークハードディスクを検索し、当該検索結果のネットワークハードディスクから選択された所定台数のネットワークハードディスクに、ダミーデータを送信し、前記ネットワークハードディスクが、データを受信すると、当該受信したデータが前記ダミーデータであるか通常のデータであるかを判別し、前記ダミーデータであると判別すると、当該ダミーデータを受信した旨を報知出力することにより、上記目的を達成している。
【発明の効果】
【００１９】
請求項１記載の発明のネットワークハードディスクシステムによれば、クライアント端末が、ネットワークに接続されているネットワークハードディスクを検索し、当該検索結果のネットワークハードディスクから選択された所定台数のネットワークハードディスクに、ダミーデータを送信し、ネットワークハードディスクが、データを受信すると、当該受信したデータがダミーデータであるか通常のデータであるかを判別し、ダミーデータであると判別すると、当該ダミーデータを受信した旨を報知出力するので、複数のネットワークハードディスクのうちどのネットワークハードディスクがどこに設置されているかが簡単に分かるようにすることができ、近くのネットワークハードディスクに適切にデータを蓄積させ、また、データの蓄積されているネットワークハードディスクから適切にデータを読み取って、利用性を向上させることができる。
【００２０】
請求項２記載の発明のネットワークハードディスクシステムによれば、ネットワークハードディスクが、ダミーデータを受信した旨を、所定のメッセージを表示手段に表示して報知出力し、または／及び、所定のランプを点灯または点滅させて報知出力するので、クライアント端末のユーザがネットワークに接続されて複数設置されているネットワークハードディスクのうちデータの蓄積に使用したいネットワークハードディスクやデータの読み出しを行いたいネットワークハードディスクがどこに設置されているかが速やかにかつ容易に分かるようにすることができ、より一層利用性を向上させることができる。
【００２１】
請求項３記載の発明のネットワークハードディスクによれば、クライアント端末からデータを受信すると、当該データが、所定のダミーデータであるか否かを判別し、ダミーデータであると判別すると、当該ダミーデータを受信した旨を報知出力するので、適切なデータ蓄積／読出処理を行いつつ、クライアント端末のユーザがネットワークに接続されて複数設置されているネットワークハードディスクのうちデータの蓄積やデータの読出に使用したいとして選択したネットワークハードディスクがどこに設置されているかが容易に分かるようにすることができ、利用性を向上させることができる。
【００２２】
請求項４記載の発明のネットワークハードディスクによれば、ネットワークハードディスクが、ダミーデータを受信したと判断すると、当該ダミーデータを受信した旨を、所定のメッセージを表示手段に表示して報知出力し、または／及び、所定のランプを点灯または点滅させて報知出力するので、クライアント端末のユーザがネットワークに接続されて複数設置されているネットワークハードディスクのうちデータの蓄積やデータの読出に使用したいネットワークハードディスクがどこに設置されているかが速やかにかつ容易に分かるようにすることができ、より一層利用性を向上させることができる。
【００２３】
請求項５記載のネットワークハードディスク方式によれば、クライアント端末が、ネットワークに接続されているネットワークハードディスクを検索し、当該検索結果のネットワークハードディスクから選択された所定台数のネットワークハードディスクに、ダミーデータを送信し、ネットワークハードディスクが、データを受信すると、当該受信したデータがダミーデータであるか通常のデータであるかを判別し、ダミーデータであると判別すると、ダミーデータを受信した旨を報知出力するので、ネットワークハードディスクで適切なデータの蓄積処理や読出処理を行いつつ、クライアント端末のユーザがネットワークに接続されて複数設置されているネットワークハードディスクのうちデータの蓄積や読出に使用したいネットワークハードディスクがどこに設置されているかが容易に分かるようにすることができ、利用性を向上させることができる。
【発明を実施するための最良の形態】
【００２４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２５】
図１〜図４は、本発明のネットワークハードディスクシステム、ネットワークハードディスク及びネットワークハードディスク方式の一実施例を示す図であり、図１は、本発明のネットワークハードディスクシステム、ネットワークハードディスク及びネットワークハードディスク方式の一実施例を適用したネットワークハードディスクシステム１のシステム構成図である。
【００２６】
図１において、ネットワークハードディスクシステム１は、ＬＡＮ（Local Area Network）等のネットワークＮＷに複数のクライアント端末ＣＬ１〜ＣＬｎと複数のネットワークハードディスクＨｄ１〜Ｈｄｎが接続されており、ネットワークＮＷには、図示しないが、その他にスキャナ、プリンタ、サーバ等が接続されていてもよい。
【００２７】
なお、本実施例では、説明を簡単にするため、ネットワークＮＷに接続されているクライアント端末ＣＬ１〜ＣＬｎ及びネットワークハードディスクＨｄ１〜Ｈｄｎは、同じフロアに設置されているものとする。
【００２８】
クライアント端末ＣＬ１〜ＣＬｎは、例えば、パーソナルコンピュータ等が用いられており、その機能として、少なくとも、図２に示すように、検索部１１、ダミーデータ送信部１２、表示部１３及び選択部１４等を備えている。そして、クライアント端末ＣＬ１〜ＣＬｎは、ＣＤ−ＲＯＭ（Compact Disc Read Only Memory ）等の記録媒体に格納されているハードディスク探索プログラムが組み込まれることにより、あるいは、予めハードディスク探索プログラムが組み込まれていることにより、検索部１１、ダミーデータ送信部１２、表示部１３へのハードディスク探索処理に必要な情報の表示機能及び選択部１４によるハードディスク探索処理に必要な選択処理機能が構築され、実行される。
【００２９】
検索部１１は、ネットワークＮＷに接続されているネットワークハードディスクＨｄ１〜Ｈｄｎを検索する機能を有しており、ネットワークＮＷに接続されている複数のネットワークハードディスクＨｄ１〜Ｈｄｎを検索する。
【００３０】
表示部１３は、例えば、パーソナルコンピュータのディスプレイ等であり、各種情報、特に、検索部１１に対するネットワークハードディスクＨｄ１〜Ｈｄｎの検索指示画面、検索部１１の検索結果であるネットワークハードディスクＨｄ１〜Ｈｄｎを表示する検索結果表示画面、ダミーデータを送信するネットワークハードディスクＨｄ１〜Ｈｄｎの選択画面等を表示出力する。
【００３１】
選択部１４は、例えば、パーソナルコンピュータのキーボード、マウス等のポインティングデバイス等であり、各種指示操作等の入力操作、特に、ネットワークハードディスクＨｄ１〜Ｈｄｎの検索指示操作、検索結果のネットワークハードディスクＨｄ１〜Ｈｄｎのうちダミーデータを送信するネットワークハードディスクＨｄ１〜Ｈｄｎを選択するダミーデータ送信先ハードディスク選択操作等の選択操作が行われる。
【００３２】
ダミーデータ送信部１２は、選択部１４でダミーデータの送信先ハードディスクとして選択されたネットワークハードディスクＨｄ１〜Ｈｄｎに対して、ダミーデータを送信する。このダミーデータは、ネットワークＮＷに接続されるネットワークハードディスクＨｄ１〜Ｈｄｎが通常のデータと区別することのできるデータである。
【００３３】
そして、ネットワークハードディスクＨｄ１〜Ｈｄｎは、各種記憶容量のハードディスクであり、その機能として、少なくとも、図３に示すように、判別部２１、報知部２２及びデータリード／ライトエンジン２３等を備えている。
【００３４】
判別部２１は、ネットワークＮＷを介してデータが送られてくると、当該データが通常のデータであるかダミーデータであるかを判別し、判別結果を報知部２２に出力する。
【００３５】
報知部２２は、液晶ディスプレイ（表示手段）やＬＥＤ（Light Emitting Diode）等のランプ等が用いられ、判別部２１が受信したデータがダミーデータであると判別すると、液晶ディスプレイにダミーデータを受信した旨を表示出力したり、ＬＥＤ等のランプを点灯または点滅させて、ネットワークハードディスクＨｄ１〜Ｈｄｎの設置場所を通知する。
【００３６】
データリード／ライトエンジン２３は、クライアント端末ＣＬ１〜ＣＬｎから送信されてきた通常のデータを所定の記憶方式で、保存蓄積し、また、クライアント端末ＣＬ１〜ＣＬｎからの読出命令によって蓄積したデータを読み出して当該クライアント端末ＣＬ１〜ＣＬｎに渡す。
【００３７】
次に、本実施例の作用を説明する。本実施例のネットワークハードディスクシステム１は、ネットワークＮＷに接続されているクライアント端末ＣＬ１〜ＣＬｎがデータの蓄積または／及び読み出しを行うネットワークハードディスクＨｄ１〜Ｈｄｎの設置場所をクライアント端末ＣＬ１〜ＣＬｎのユーザが分かるようにするところにその特徴がある。
【００３８】
すなわち、ネットワークハードディスクシステム１は、ネットワークＮＷに複数のクライアント端末ＣＬ１〜ＣＬｎとネットワークハードディスクＨｄ１〜Ｈｄｎが接続されており、クライアント端末ＣＬ１〜ＣＬｎのユーザは、ネットワークＮＷにネットワークハードディスクＨｄ１〜Ｈｄｎが複数接続されていると、データの蓄積／読み出しを行うネットワークハードディスクＨｄ１〜Ｈｄｎがどこに設定されているかが分からないことがある。
【００３９】
そこで、クライアント端末ＣＬ１〜ＣＬｎのオペレータは、データの蓄積／読み出しを行うネットワークハードディスクＨｄ１〜Ｈｄｎの設置場所を知りたい場合、クライアント端末ＣＬ１〜ＣＬｎにハードディスク探索要求を行う。
【００４０】
クライアント端末ＣＬ１〜ＣＬｎは、ハードディスク探索要求があると、図４に示すように、まず、検索部１１が、ネットワークＮＷに接続されているネットワークハードディスクＨｄ１〜Ｈｄｎの検索を開始し（ステップＳ１１）、検索結果のネットワークハードディスクＨｄ１〜Ｈｄｎを表示部１３に表示出力させるとともに、設置場所を知りたいネットワークハードディスクＨｄ１〜Ｈｄｎの選択を要求する表示を表示部１３に行う。
【００４１】
クライアント端末ＣＬ１〜ＣＬｎのオペレータは、当該ネットワークハードディスクＨｄ１〜Ｈｄｎの選択を促す表示に応じて、選択部１４を用いて、当該複数検索されたネットワークハードディスクＨｄ１〜Ｈｄｎのうちから所定台数、例えば、１台のネットワークハードディスクＨｄ１〜Ｈｄｎを選択する。
【００４２】
クライアント端末ＣＬ１〜ＣＬｎは、所定台数（例えば、１台）のネットワークハードディスクＨｄ１〜Ｈｄｎが選択されると（ステップＳ１２）、ダミーデータ送信部１２が、当該選択されたネットワークハードディスクＨｄ１〜Ｈｄｎに対してダミーデータを送信する（ステップＳ１３）。
【００４３】
そして、各ネットワークハードディスクＨｄ１〜Ｈｄｎは、ネットワークＮＷを介してクライアント端末ＣＬ１〜ＣＬｎからデータを受信するかチェックし（ステップＳ２１）、クライアント端末ＣＬ１〜ＣＬｎからのデータを受信すると、判別部２１が、当該受信したデータがダミーデータであるか判別する（ステップＳ２２）。
【００４４】
判別部２１が受信したデータがダミーデータであると判別すると、報知部２２が、例えば、液晶ディスプレイにダミーデータを受信した旨を表示出力したり、ＬＥＤ等のランプを点灯または点滅させて、ネットワークハードディスクＨｄ１〜Ｈｄｎの設置場所を通知する（ステップＳ２３）。
【００４５】
したがって、クライアント端末ＣＬ１〜ＣＬｎのオペレータは、この報知部２１の報知によって当該選択したネットワークハードディスクＨｄ１〜Ｈｄｎの設置場所を容易に知ることができる。
【００４６】
ステップＳ２２で、判別部２１が受信したデータが通常のデータであると判別すると、データリード／ライトエンジン２３が、当該データを蓄積したり、データの読み出しを行う等の通常処理を行う（ステップＳ２４）。
【００４７】
このように、本実施例のネットワークハードディスクシステム１は、ネットワークＮＷに複数のネットワークハードディスクＨｄ１〜Ｈｄｎとクライアント端末ＣＬ１〜ＣＬｎとが接続され、クライアント端末ＣＬ１〜ＣＬｎがネットワークハードディスクＨｄ１〜Ｈｄｎにデータを送信して、当該データを受け取ったネットワークハードディスクＨｄ１〜Ｈｄｎが当該データを蓄積し、また、クライアント端末ＣＬ１〜ＣＬｎからの読取要求に応じて蓄積しているデータを読み出すに際して、クライアント端末ＣＬ１〜ＣＬｎが、ネットワークＮＷに接続されているネットワークハードディスクＨｄ１〜Ｈｄｎを検索し、当該検索結果のネットワークハードディスクＨｄ１〜Ｈｄｎから選択された所定台数（例えば、１台）のネットワークハードディスクＨｄ１〜Ｈｄｎに、ダミーデータを送信し、ネットワークハードディスクＨｄ１〜Ｈｄｎが、データを受信すると、当該受信したデータがダミーデータであるか通常のデータであるかを判別し、ダミーデータであると判別すると、ダミーデータを受信した旨を報知出力する。
【００４８】
したがって、クライアント端末ＣＬ１〜ＣＬｎのユーザがネットワークＮＷに接続されて複数設置されているネットワークハードディスクＨｄ１〜Ｈｄｎのうちデータの蓄積／読み出しに使用したいネットワークハードディスクＨｄ１〜Ｈｄｎがどこに設置されているかを容易に分かるようにし、ネットワークハードディスクシステム１の利用性を向上させることができる。
【００４９】
また、本実施例のネットワークハードディスクシステム１は、ネットワークハードディスクＨｄ１〜Ｈｄｎが、ダミーデータを受信した旨を、当該ダミーデータを受信した旨の所定のメッセージを液晶ディスプレイに表示出力して報知出力し、または、ＬＥＤ等のランプを点灯または点滅させて報知出力している。
【００５０】
したがって、クライアント端末ＣＬ１〜ＣＬｎのユーザがネットワークＮＷに接続されて複数設置されているネットワークハードディスクＨｄ１〜Ｈｄｎのうちデータの蓄積／読み出しに使用したいネットワークハードディスクＨｄ１〜Ｈｄｎがどこに設置されているかが速やかにかつ容易に分かるようにすることができ、ネットワークハードディスクシステム１の利用性をより一層向上させることができる。
【００５１】
さらに、本実施例のネットワークハードディスクシステム１は、クライアント端末ＣＬ１〜ＣＬｎの接続されているネットワークＮＷに接続されたネットワークハードディスクＨｄ１〜Ｈｄｎが、当該クライアント端末ＣＬ１〜ＣＬｎからのデータをネットワークＮＷを介して受信して、当該受信したデータを所定の法則で蓄積し、また、クライアント端末ＣＬ１〜ＣＬｎからの読取要求に応じて蓄積するに際して、ネットワークハードディスクＨｄ１〜Ｈｄｎが、クライアント端末ＣＬ１〜ＣＬｎからデータを受信すると、当該データが、所定のダミーデータであるか否かを判別している。
【００５２】
したがって、適切なデータの蓄積／読出処理を行いつつ、ダミーデータを適切に処理することができる。
【００５３】
また、本実施例のネットワークハードディスクシステム１は、ネットワークハードディスクＨｄ１〜Ｈｄｎが、ダミーデータを受信したと判断すると、当該ダミーデータを受信した旨を、当該ダミーデータを受信した旨の所定のメッセージを液晶ディスプレイに表示出力して報知出力し、または、ＬＥＤ等のランプを点灯または点滅させて報知出力する。
【００５４】
したがって、クライアント端末ＣＬ１〜ＣＬｎのユーザがネットワークＮＷに接続されて複数設置されているネットワークハードディスクＨｄ１〜Ｈｄｎのうちデータの蓄積／読み出しに使用したいネットワークハードディスクＨｄ１〜Ｈｄｎがどこに設置されているかが容易に分かるようにすることができ、ネットワークハードディスクＨｄ１〜Ｈｄｎの利用性を向上させることができる。
【００５５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５６】
ネットワークに接続され同じフロア等に設置されている複数のハードディスクの設置場所を容易に探索するネットワークハードディスクシステム、ネットワークハードディスク及びネットワークハードディスク方式に適用することができる。
【図面の簡単な説明】
【００５７】
【図１】本発明のネットワークハードディスクシステム、ネットワークハードディスク及びネットワークハードディスク方式の一実施例を適用したネットワークハードディスクシステムのシステム構成図。
【図２】図１のクライアント端末の要部機能構成図。
【図３】図１のネットワークハードディスクの要部機能構成図。
【図４】図１のクライアント端末及びネットワークハードディスクによるハードディスク探索処理を示すフローチャート。
【符号の説明】
【００５８】
１  ネットワークハードディスクシステム
ＮＷ  ネットワーク
ＣＬ１〜ＣＬｎ  クライアント端末
Ｈｄ１〜Ｈｄｎ  ネットワークハードディスク
１１  検索部
１２  ダミーデータ送信部
１３  表示部
１４  選択部
２１  判別部
２２  報知部
２３  データリード／ライトエンジン
【図１】
2006244323.tif 000003
【図２】
2006244323.tif 000004
【図３】
2006244323.tif 000005
【図４】
2006244323.tif 000006